(57)【要約】【課題】  人体の影響を抑制し広帯域の放送電波等を安定して受信する。【解決手段】  平衡伝送モードを不平衡伝送モードにインピーダンス変換するバラン２７の平衡伝送モード側に異なる周波数帯域の受信特性を有し波長短縮化が図られて略同一長とされた第１ループアンテナ線路６と第２ループアンテナ線路７を接続する。第１ループアンテナ線路６と第２ループアンテナ線路７は、高周波信号の伝送線路とともに、イヤホン１３，１４に音声信号を伝送する音声伝送線路としても機能する。【選択図】  図４
2005086701.tif 000002
【特許請求の範囲】
【請求項１】
平衡伝送モードを不平衡伝送モードにインピーダンス変換するバランと、
上記バランの平衡伝送モード側の端子に両端を接続され、第１周波数帯域の電波に対する共振特性を有する第１ループアンテナ線路と、
上記バランの平衡伝送モード側の端子に両端を接続され、上記第１周波数帯域の電波よりも低周波数帯域の第２周波数帯域の電波に対する共振特性を有しかつインダクタンス装荷により波長短縮化が図られて上記第１ループアンテナ線路と略同一の線路長とされた第２ループアンテナ線路と、
一端側をそれぞれ音声信号出力源と接続されるとともに、他端側を上記バランに対して第１音声信号遮断素子又は第２音声信号遮断素子を介して接続された上記第１ループアンテナ線路又は上記第２ループアンテナ線路のいずれか一方のループアンテナ線路に対して第１高周波信号遮断素子又は第２高周波信号遮断素子を介してそれぞれ接続され、当該各一方のループアンテナ線路にそれぞれ音声信号を供給する第１音声信号伝送線路及び第２音声信号伝送線路と、
上記各一方のループアンテナ線路に対して上記バランとの接続部からそれぞれ所定の長さ位置において第３高周波信号遮断素子又は第４高周波信号遮断素子を介して分岐されるとともに、第１イヤホン又は第２イヤホンとそれぞれ接続されかつこれら各イヤホンから第５高周波信号遮断素子又は第６高周波信号遮断素子を介して他方のループアンテナ線路とそれぞれ接続された第１イヤホン線路及び第２イヤホン線路と、
上記各他方のループアンテナ線路から分岐されて上記バランの平衡伝送モード側の端子の近傍においてそれぞれ第７高周波信号遮断素子及び第８高周波信号遮断素子を介してグランドと接続された第１グランド線路及び第２グランド線路とから構成され、
上記第１ループアンテナ線路と上記第２ループアンテナ線路とが、上記第１音声信号伝送線路又は上記第２音声信号伝送線路の接続部と上記第１イヤホン線路又は上記第２イヤホン線路との分岐・接続部を介して上記第１グランド線路又は上記第２グランド線路との分岐部との間で、それぞれ高周波信号の伝送線路とともに音声信号の伝送線路を構成することを特徴とするイヤホン一体型アンテナ。
【請求項２】
上記第１周波数帯域の電波と上記第２周波数帯域の電波とが、１００ＭＨｚ周波数帯域の電波と２００ＭＨｚ周波数帯域の電波であることを特徴とする請求項１に記載のイヤホン一体型アンテナ。
【請求項３】
上記第１ループアンテナ線路と上記第２ループアンテナ線路とに、上記第１イヤホン線路及び上記第２イヤホン線路の各分岐・接続部の先端側に位置してそれぞれ一対の第３音声信号遮断素子と第４音声信号遮断素子及び第５音声信号遮断素子と第６音声信号遮断素子とを設けたことを特徴とする請求項１に記載のイヤホン一体型アンテナ。
【請求項４】
上記第１のループアンテナ線路と上記第２のループアンテナ線路とが、上記第１イヤホン線路及び上記第２イヤホン線路の相対する各分岐・接続部間において、可撓性を有するストラップ体内に所定の間隔を保持して封装されることを特徴とする請求項１に記載のイヤホン一体型アンテナ。
【請求項５】
上記バランを実装する回路基板を備え、この回路基板に、上記バランの平衡伝送モード側端子が接続される第１端子ランド及び第２端子ランドと、これら第１端子ランドと第２端子ランドに対して上記第１音声信号遮断素子及び上記第２音声信号遮断素子を介して接続された第３端子ランド及び第４端子ランドと、これら第３端子ランド及び第４端子ランドに対して上記第１高周波信号遮断素子及び上記第２高周波信号遮断素子を介してそれぞれ接続されて上記第１音声信号伝送線路及び上記第２音声信号伝送線路を構成する第１音声信号伝送パターン及び第２音声信号伝送パターンと、上記第１端子ランドと第２端子ランドとが上記第７高周波信号遮断素子を介して接続されるとともにバランのグランド端子が接続されるグランドパターンとが形成され、
上記一方のループアンテナ線路が両端を上記第３端子ランドと第４端子ランドに接続されるとともに上記他方のループアンテナ線路が両端を上記第１端子ランドと第２端子ランドに接続され、上記バランの不平衡伝送モード側端子と上記第１音声信号伝送パターンと第２音声信号伝送パターン及び上記グランドパターンに同軸ケーブルの信号線及びグランド線が接続されることを特徴とする請求項１に記載のイヤホン一体型アンテナ。
【請求項６】
上記バランを収納するとともに上記第１ループアンテナ線路と上記第２ループアンテナ線路とをそれぞれループ状に引き出すマッチングボックスを備え、
上記第１ループアンテナ線路と上記第２ループアンテナ線路とが、それぞれ略９０°の引出し角度を保持して引き出されることを特徴とする請求項１に記載のイヤホン一体型アンテナ。
【請求項７】
平衡伝送モードを不平衡伝送モードにインピーダンス変換するバランと、上記バランの平衡伝送モード側の端子に両端を接続され第１周波数帯域の電波に対する共振特性を有する第１ループアンテナ線路と、上記バランの平衡伝送モード側の端子に両端を接続され上記第１周波数帯域の電波よりも低周波数帯域の第２周波数帯域の電波に対する共振特性を有しかつインダクタンス装荷により波長短縮化が図られて上記第１ループアンテナ線路と略同一の線路長とされた第２ループアンテナ線路と、一端側をそれぞれ音声信号出力源と接続されるとともに他端側を上記バランに対して第１音声信号遮断素子又は第２音声信号遮断素子を介して接続された上記第１ループアンテナ線路又は上記第２ループアンテナ線路のいずれか一方のループアンテナ線路に対して第１高周波信号遮断素子又は第２高周波信号遮断素子を介してそれぞれ接続され、当該各一方のループアンテナ線路にそれぞれ音声信号を供給する第１音声信号伝送線路及び第２音声信号伝送線路と、上記各一方のループアンテナ線路に対して上記バランとの接続部からそれぞれ所定の長さ位置において第３高周波信号遮断素子又は第４高周波信号遮断素子を介して分岐されるとともに第１イヤホン又は第２イヤホンとそれぞれ接続されかつこれら各イヤホンから第５高周波信号遮断素子又は第６高周波信号遮断素子を介して他方のループアンテナ線路とそれぞれ接続された第１イヤホン線路及び第２イヤホン線路と、上記各他方のループアンテナ線路から分岐されて上記バランの平衡伝送モード側の端子の近傍においてそれぞれ第７高周波信号遮断素子及び第８高周波信号遮断素子を介してグランドと接続された第１グランド線路及び第２グランド線路とから構成されたイヤホン一体型のアンテナ部と、
上記バランの不平衡伝送モード側端子に接続されて高周波信号と音声信号とを伝送する同軸ケーブルと、
少なくとも、上記同軸ケーブルが接続される受信回路部と、上記高周波信号を信号処理する信号処理部と、この信号処理部から出力された映像信号に基づく映像を表示出力するモニタ部と、上記信号処理部から出力された音声信号を上記第１の音声信号伝送線路及び上記第２の音声信号伝送線路に対して出力する音声信号出力部とを備える機器本体部と、
から構成されることを特徴とする携帯型無線電子機器。
【請求項８】
上記アンテナ部が、１００ＭＨｚ周波数帯域の電波と２００ＭＨｚ周波数帯域の電波に対して共振特性を有する上記第１のループアンテナ線路と上記第２のループアンテナ線路を備えることを特徴とする請求項７に記載の携帯型無線電子機器。
【請求項９】
上記アンテナ部が、上記第１のループアンテナ線路と上記第２のループアンテナ線路とを、上記第３の音声信号伝送線路及び上記第４の音声信号伝送線路の相対する上記各分岐・接続部間において可撓性を有するストラップ体内に所定の間隔を保持して封装され、
上記ストラップ体がユーザの頸部或いは頭部に装着されるストラップ部を構成することを特徴とする請求項７に記載の携帯型無線電子機器。
【発明の詳細な説明】
【技術分野】
【０００１】
本発明は、例えばユーザの頸部にかけて用いられて種々の周波数帯域のテレビジョン放送等を良好な状態で受信するイヤホン一体型アンテナ及びこのアンテナを備えた携帯型テレビジョン受信機や情報端末機器等の携帯型無線電子機器に関する。
【背景技術】
【０００２】
無線電子機器、例えばテレビジョン受信機（以下、テレビ受信機と略称する。）は、放送局から送信されるテレビジョン放送をアンテナによって受信してモニタにより映像を放映するとともにスピーカから音声信号等を出力する。テレビ受信機は、現在国内において提供されている９０ＭＨｚ〜１０８ＭＨｚ帯域（１ｃｈ〜３ｃｈ）と１７０ＭＨｚ〜２２２ＭＨｚ帯域（４ｃｈ〜１２ｃｈ）のＶＨＦ（Very High Frequency）放送電波及び４７０ＭＨｚ〜７７０ＭＨｚ帯域（１３ｃｈ〜６２ｃｈ）のＵＨＦ（Ultra High Frequency）放送電波とをアンテナによって受信する。
【０００３】
例えば携帯型の液晶テレビ受信機においては、アンテナとして筐体に引出自在に収納されたロッドアンテナが用いられていた。しかしながら、かかる液晶テレビ受信機は、ロッドアンテナが、水平偏波のテレビ放送電波に対して高感度特性を得ることができないために長軸としたりブースタ等を付設するといった対応が図られていた。したがって、液晶テレビ受信機は、使用勝手が悪くなりまた装置全体を大型化するといった問題があった。
【０００４】
一方、従来のテレビ受信機においては、上述したロッドアンテナの問題を解決するために、例えば受信機本体に接続されて音声信号や音響信号（本明細書においては、音声信号と総称する。）を再生する２本のイヤホンコードを利用して、ダイバシチ特性を有するアンテナを構成したものも提案されている（例えば、特許文献１参照）。また、従来のテレビ受信機においては、イヤホンコードと外部アンテナとを組み合わせてアンテナを構成したものも提案されている（例えば、特許文献２参照）。
【０００５】
しかしながら、これらテレビ受信機においても、イヤホンコードアンテナのアンテナ効率が低く、また指向性も弱いために例えばカラー放送の受信画像にゴーストが発生して表示画像の品質が悪いといった問題があった。また、テレビ受信機は、イヤホンコードアンテナがイヤホンを耳穴内にはめ込んで用いられるために、人体の影響によって受信特性が不安定となるといった問題があった。さらに、テレビ受信機は、イヤホンコードアンテナが、ＶＨＦ放送とＵＨＦ放送との広い帯域の電波を受信しなければならないが、満足な受信特性を得ることが困難であるといった問題があった。
【０００６】
例えば特許文献３には、上述したイヤホンコードアンテナの問題を解決して広帯域の電波に対して良好な受信特性を有するとともに、人体の影響によるインダクタンスやキャパシタンスの変化による特性変化を抑制して安定した受信特性が得られるようにしたループアンテナが開示されている。しかしながら、かかるループアンテナも、イヤホンと別個に構成されるためにイヤホンコードと別個に構成されたアンテナコードを必要とし、構造が複雑になるといった問題があった。
【０００７】
【特許文献１】特開平７−７４４１号公報
【特許文献２】特開平７−３０７６９４号公報
【特許文献３】特開平１０−８４２０９号公報
【発明の開示】
【発明が解決しようとする課題】
【０００８】
ところで、テレビ放送については、現状の上述したＶＨＦ帯域とＵＨＦ帯域から、デジタル地上波放送の実施によりＵＨＦ帯域に統一される方向にある。テレビ受信機においては、このためにアンテナが比較的狭い帯域の放送電波を受信すればよく、狭受信帯域化が図られるようになる。しかしながら、テレビ受信機においては、狭受信帯域化が図られてもロッドアンテナやイヤホンコードアンテナにおける上述した種々の問題を解決して高品質の受信画像を得ることを可能とするアンテナが提供されるに至っていない。
【０００９】
したがって、本発明は、人体の影響を抑制し広帯域の放送電波等を安定して受信する携帯型テレビジョン受信機等に用いて好適なイヤホン一体型アンテナを提供することを目的に提案されたものである。また、本発明は、かかるイヤホン一体型アンテナを備えて高品質の受信画像が得られるようにする携帯型無線電子機器を提供することを目的に提案されたものである。
【課題を解決するための手段】
【００１０】
上述した目的を達成する本発明にかかるイヤホン一体型アンテナは、平衡伝送モードを不平衡伝送モードにインピーダンス変換するバランと、第１ループアンテナ線路及び第２ループアンテナ線路と、第１音声信号伝送線路及び第２音声信号伝送線路と、第１イヤホン線路及び第２イヤホン線路と、第１グランド線路及び第２グランド線路と、第１イヤホン及び第２イヤホンとを備え、携帯型無線電子機器に付設されて第１ループアンテナ線路と第２ループアンテナ線路とによって異なる周波数帯域の電波を受信する。
【００１１】
第１ループアンテナ線路は、バランの平衡伝送モード側の端子に両端を接続され、第１周波数帯域の電波に対する共振特性を有する。第２ループアンテナ線路は、バランの平衡伝送モード側の端子に両端を接続され、第１周波数帯域の電波よりも低周波数帯域の第２周波数帯域の電波に対する共振特性を有しかつインダクタンス装荷により波長短縮化が図られて第１ループアンテナ線路と略同一の線路長とされる。第１音声信号伝送線路及び第２音声信号伝送線路は、一端側をそれぞれ音声信号出力源と接続されるとともに、他端側をバランに対して第１音声信号遮断素子又は第２音声信号遮断素子を介して接続された第１ループアンテナ線路又は上記第２ループアンテナ線路のいずれか一方のループアンテナ線路に対して、第１高周波信号遮断素子又は第２高周波信号遮断素子を介してそれぞれ接続され、当該各一方のループアンテナ線路にそれぞれ音声信号を供給する。第１イヤホン線路及び第２イヤホン線路は、各一方のループアンテナ線路に対してバランとの接続部からそれぞれ所定の長さ位置において第３高周波信号遮断素子又は第４高周波信号遮断素子を介して分岐されるとともに、第１イヤホン又は第２イヤホンとそれぞれ接続されかつこれら各イヤホンから第５高周波信号遮断素子又は第６高周波信号遮断素子を介して他方のループアンテナ線路とそれぞれ接続される。第１グランド線路及び第２グランド線路は、それぞれ各他方のループアンテナ線路から分岐され、バランの平衡伝送モード側の端子の近傍においてそれぞれ第７高周波信号遮断素子及び第８高周波信号遮断素子を介してグランドと接続される。
【００１２】
以上のように構成される本発明にかかるイヤホン一体型アンテナにおいては、第１ループアンテナ線路によって第１周波数帯域の電波を受信するとともに、第２ループアンテナ線路によって第２周波数帯域の電波を受信する。イヤホン一体型アンテナにおいては、これらの受信電波をバランの平衡伝送モード側に入力してインピーダンス変換を行い、例えば不平衡伝送モード側に接続された同軸ケーブル等を介して高周波信号処理部へと伝送する。イヤホン一体型アンテナにおいては、第１ループアンテナ線路と第２ループアンテナ線路を伝送される高周波信号が、各高周波信号遮断素子により第１音声信号伝送線路及び第２音声信号伝送線路或いは第１イヤホン線路及び第２イヤホン線路やグランド線路への進入を阻止される。
【００１３】
イヤホン一体型アンテナにおいては、音声信号出力源から第１音声信号伝送線路と第２音声信号伝送線路及びグランド線路とに供給される音声信号が、第１ループアンテナ線路又は第２ループアンテナ線路にそれぞれ供給されて伝送される。イヤホン一体型アンテナにおいては、音声信号が、それぞれ各音声信号分離素子を介して第１ループアンテナ線路又は第２ループアンテナ線路から分岐された第１イヤホン線路或いは第２イヤホン線路へと伝送されて第１イヤホン或いは第２イヤホンからそれぞれ出力される。イヤホン一体型アンテナにおいては、第１ループアンテナ線路と第２ループアンテナ線路とが、第１音声信号伝送線路と第２音声信号伝送線路との接続部及び第１イヤホン線路又は第２イヤホン線路との分岐・接続部を介して第１グランド線路又は第２グランド線路との分岐部との間において、それぞれ高周波信号の伝送線路とともに音声信号の伝送線路を構成する。
【００１４】
また、上述した目的を達成する本発明にかかる携帯型無線電子機器は、イヤホン一体型アンテナ部と、バランの不平衡伝送モード側端子に接続されて高周波信号を伝送する同軸ケーブルと、この同軸ケーブルが接続される機器本体部とから構成される。携帯型無線電子機器は、機器本体部に対して同軸ケーブルを介して接続されるアンテナ部が、ユーザの首から機器本体を吊り提げる吊りベルトや頭部に装着されてイヤホンから音声出力を聴取するストラップ部としても用いられる。携帯型無線電子機器は、アンテナ部が、平衡伝送モードを不平衡伝送モードにインピーダンス変換するバランと、第１ループアンテナ線路及び第２ループアンテナ線路と、第１音声信号伝送線路及び第２音声信号伝送線路と、第１イヤホン線路及び第２イヤホン線路と、第１グランド線路及び第２グランド線路と、第１イヤホン及び第２イヤホンとを備え、第１ループアンテナ線路と第２ループアンテナ線路とによって異なる周波数帯域の電波を受信する。
【００１５】
携帯型無線電子機器は、機器本体が、少なくとも同軸ケーブルと接続される受信回路部と、高周波信号を信号処理する信号処理部と、この信号処理部から出力された映像信号に基づく映像を表示出力するモニタ部と、信号処理部から出力された音声信号を第１の音声信号伝送線路及び第２の音声信号伝送線路に対して出力する音声信号出力部とを備える。
【００１６】
アンテナ部は、第１ループアンテナ線路がバランの平衡伝送モード側の端子に両端を接続されて第１周波数帯域の電波に対する共振特性を有するとともに、第２ループアンテナ線路がバランの平衡伝送モード側の端子に両端を接続されて第１周波数帯域の電波よりも低周波数帯域の第２周波数帯域の電波に対する共振特性を有しかつインダクタンス装荷により波長短縮化が図られて第１ループアンテナ線路と略同一の線路長とされる。アンテナ部は、第１音声信号伝送線路及び第２音声信号伝送線路が、一端側をそれぞれ音声信号出力源と接続されるとともに他端側をバランに対して第１音声信号遮断素子又は第２音声信号遮断素子を介して接続された第１ループアンテナ線路又は上記第２ループアンテナ線路のいずれか一方のループアンテナ線路に対して、第１高周波信号遮断素子又は第２高周波信号遮断素子を介してそれぞれ接続され、当該各一方のループアンテナ線路にそれぞれ音声信号を供給する。アンテナ部は、第１イヤホン線路及び第２イヤホン線路が、各一方のループアンテナ線路に対してバランとの接続部からそれぞれ所定の長さ位置において第３高周波信号遮断素子又は第４高周波信号遮断素子を介して分岐されるとともに、第１イヤホン又は第２イヤホンとそれぞれ接続されかつこれら各イヤホンから第５高周波信号遮断素子又は第６高周波信号遮断素子を介して他方のループアンテナ線路とそれぞれ接続される。アンテナ部は、第１グランド線路及び第２グランド線路が、それぞれ各他方のループアンテナ線路から分岐されてバランの平衡伝送モード側の端子の近傍においてそれぞれ第７高周波信号遮断素子又は第８高周波信号遮断素子を介してグランドと接続される。
【００１７】
以上のように構成される本発明にかかる携帯型無線電子機器においては、アンテナ部の第１ループアンテナ線路によって第１周波数帯域の電波を受信するとともに、第２ループアンテナ線路によって第２の周波数帯域の電波を受信する。携帯型無線電子機器においては、これらの受信電波がアンテナ部のバランの平衡伝送モード側に入力されてインピーダンス変換が行われて不平衡伝送モード側に接続された同軸ケーブルを介して機器本体部へと伝送される。携帯型無線電子機器においては、第１ループアンテナ線路及び第２ループアンテナ線路を伝送される受信電波が、各高周波信号遮断素子により第１音声信号伝送線路と第２音声信号伝送線路及び第１イヤホン線路と第２イヤホン線路或いは第１グランド線路と第２グランド線路への進入を阻止される。
【００１８】
携帯型無線電子機器においては、機器本体部において受信電波の信号処理が行われ、信号処理部から出力された映像信号に基づいてモニタ部に映像が表示されるとともにアンテナ部の第１音声信号伝送線路と第２音声信号伝送線路及び第１グランド線路と第２グランド線路に対して音声信号が出力されて第１ループアンテナ線路と第２ループアンテナ線路とに供給される。携帯型無線電子機器においては、音声信号が、第１ループアンテナ線路と第２ループアンテナ線路とからそれぞれ音声信号分離素子を介して第１イヤホン線路及び第２イヤホン線路へと分離され、第１イヤホン及び第２イヤホンから出力される。携帯型無線電子機器においては、第１イヤホン及び第２イヤホン側からの高周波ノイズが、各高周波信号遮断素子により第１ループアンテナ線路及び第２ループアンテナ線路への進入を阻止される。
【発明の効果】
【００１９】
以上のように構成される本発明にかかるイヤホン一体型アンテナによれば、異なる周波数帯域の電波に対して共振特性を有する第１ループアンテナ線路と第２ループアンテナ線路とがそれぞれの一部を音声信号の伝送線路として機能して電波受信機能とともにイヤホンの線路機能とを一体化したことにより、無線機器本体の小型化と使い勝手の向上が図られるようにする。イヤホン一体型アンテナによれば、異なる周波数帯域の電波をアンテナ特性の高い第１ループアンテナ線路と第２ループアンテナ線路によってそれぞれ受信することから、高特性の電波受信が行われるようになる。イヤホン一体型アンテナによれば、第１ループアンテナ線路と第２ループアンテナ線路とが、人体に直接装着される第１イヤホンと第２イヤホンのイヤホンに対して高周波信号領域において分離されて構成されていることにより、人体側からの高周波信号ノイズの影響が低減されて安定したアンテナ特性が得られるようになる。また、イヤホン一体型アンテナによれば、第１のループアンテナ線路と第２のループアンテナ線路とが機器本体から離間した位置において電波を受信することから、機器本体側からの高周波信号ノイズの影響が低減されて安定したアンテナ特性が得られるようになる。
【００２０】
また、以上のように構成される本発明にかかる携帯型無線電子機器によれば、異なる周波数帯域の電波に対して共振特性を有する第１ループアンテナ線路と第２ループアンテナ線路が音声信号の伝送線路を兼用して電波受信機能とともにイヤホンの線路機能とを一体化したアンテナ部を有することにより、小型化と使い勝手の向上が図られるようになる。携帯型無線電子機器によれば、アンテナ部において異なる周波数帯域の電波をアンテナ特性の高い第１ループアンテナ線路と第２ループアンテナ線路によって受信することから、高特性の電波受信が行われるようになる。携帯型無線電子機器によれば、アンテナ部の第１ループアンテナ線路と第２ループアンテナ線路とが人体に直接装着される第１イヤホンと第２イヤホンとに対して高周波信号領域において分離されて構成されることから、人体側からの高周波信号ノイズの影響が低減されて安定したアンテナ特性が得られるようになる。携帯型無線電子機器によれば、機器本体に対してアンテナ部の第１ループアンテナ線路と第２ループアンテナ線路とが離間した位置において電波を受信することから、機器本体側からの高周波信号ノイズの影響が低減されて安定したアンテナ特性が得られるようになる。
【発明を実施するための最良の形態】
【００２１】
以下、本発明の実施の形態として図面に示した携帯型液晶テレビジョン受信機（以下、単に液晶テレビと略称する。）１について詳細に説明する。液晶テレビ１は、図１に示すように機器本体２と、この機器本体２に一端部を接続された同軸ケーブル３と、この同軸ケーブル３の他端部に接続されたマッチングボックス４と、このマッチングボックス４からガイドホルダ５を介してループ状に引き出される詳細を後述する第１ループアンテナ線路６及び第２ループアンテナ線路７を有しユーザＰの頸部に掛けられるストラップを構成するループアンテナ部８を備える。液晶テレビ１は、ループアンテナ部８にマッチングボックス４からそれぞれ所定の長さ位置に設けた左右一対の第１音声信号分離ボックス９及び第２音声信号分離ボックス１０と、これら第１音声信号分離ボックス９及び第２音声信号分離ボックス１０からそれぞれループ状に引き出された第１イヤホン線路１１及び第２イヤホン線路１２と、これら第１イヤホン線路１１及び第２イヤホン線路１２に設けた第１イヤホン１３及び第２イヤホン１４を備える。
【００２２】
液晶テレビ１は、ループアンテナ部８によってＶＨＦ放送の各チャンネル電波とＵＨＦ放送の各チャンネル電波を受信し、機器本体２に設けた液晶モニタ１５によって受信放送の映像を表示するとともに音声信号や音響信号等（以下、音声信号と総称する。）を第１イヤホン１３及び第２イヤホン１４から再生出力する。液晶テレビ１は、機器本体２に充電が可能な二次電池が内蔵されて持ち運び自在に用いられるとともに、機器本体２の筐体に設けた詳細を省略する操作部１６によって、電源オン・オフの操作やチャンネル切換操作或いはボリューム調整操作等が行われる。なお、液晶テレビ１は、詳細を省略するが液晶モニタ１５の画面上に表示されるアイコン等を適宜選択することによって、機能切換等が行われるようにする。
【００２３】
液晶テレビ１は、図２に概略の構成を示すように、機器本体２に、例えばループアンテナ部８によって受信した高周波信号が入力されるとともに音声信号を出力する入出力切換回路部１７と、この入出力切換回路部１７から高周波信号が入力されるとともに操作部１６によって設定した所定のチャンネルを選択して中間周波数信号に変換するチューナ回路部１８と、このチューナ回路部１８から出力される中間周波数信号を処理して映像信号と音声信号とを出力する信号処理回路部１９とを備える。なお、液晶テレビ１は、ループアンテナ部８が詳細を後述するように２種類の電波に対する受信特性を有することから、２種類の受信電波を同調回路によって処理する。
【００２４】
液晶テレビ１は、機器本体２に、信号処理回路部１９から出力される映像信号が入力される液晶駆動回路部２０が備えられ、この液晶駆動回路部２０から出力される映像信号に基づく駆動信号によって液晶モニタ１５が駆動されて所定の映像表示が行われる。液晶テレビ１は、機器本体２に、信号処理回路部１９から出力される音声信号が入力される音声信号増幅回路部２１が備えられ、この音声信号増幅回路部２１から出力される音声信号が入出力切換回路部１７を介してループアンテナ部８側に出力される。
【００２５】
液晶テレビ１においては、音声信号が同軸ケーブル３を介してマッチングボックス４へと供給され、このマッチングボックス４内においてループアンテナ部８の第１ループアンテナ線路６又は第２ループアンテナ線路７にそれぞれ供給されて伝送される。液晶テレビ１においては、音声信号が、第１ループアンテナ線路６又は第２ループアンテナ線路７から第１音声信号分離ボックス９及び第２音声信号分離ボックス１０において第１イヤホン線路１１及び第２イヤホン線路１２へと分離され、第１イヤホン１３及び第２イヤホン１４に供給されて再生出力される。液晶テレビ１においては、第１イヤホン１３から左音声信号が出力されるとともに第２イヤホン１４から右音声信号が出力される。
【００２６】
なお、液晶テレビ１は、上述した基本的な構成回路ばかりでなく、従来の液晶テレビに備えられる種々の回路構成が備えられることは勿論である。液晶テレビ１は、放送電波を受信するばかりでなく、例えばハードディスク等の大容量の情報記憶手段を備えることによって、各種の情報を記憶し必要に応じて液晶モニタ１４や第１イヤホン１３及び第２イヤホン１４から出力するようにしてもよい。液晶テレビ１は、二次電池とともに商用電源やカーバッテリ等の外部電源と接続可能な電源部を備え、この電源部から各部に対して電源が供給される。
【００２７】
液晶テレビ１は、上述したように機器本体２に対してループアンテナ部８が同軸ケーブル３を介して接続されている。同軸ケーブル３は、例えば線路インピーダンスが７５Ω、線路長が機器本体２とループアンテナ部８との間隔をユーザＰが使い勝手のよい約７００ｍｍとしたケーブルが用いられる。同軸ケーブル３は、図３に示すようにループアンテナ部８によって受信した電波（高周波信号）を機器本体２側に伝送して入出力切換回路１７に入力する高周波信号線２２と、入出力切換回路１７から出力される音声信号をマッチングボックス４に供給する左音声信号伝送用の第１音声信号線２３及び右音声信号伝送用の第２音声信号信号線２４と、グランド線２５とを同軸化した多芯ケーブルからなる。
【００２８】
液晶テレビ１は、かかる同軸ケーブル３を用いることによって機器本体２とループアンテナ部８とを最小数のケーブルで接続することが可能とされ、小型化、軽量化、コスト低減或いは取扱い性の向上が図られるようになる。なお、液晶テレビ１は、多芯化によって同軸ケーブル３の硬度がやや大きくなることから、必要に応じて高周波信号線２２及びグランド線２５と音声信号信号線２３，２４とをそれぞれ別ケーブルとして機器本体２とループアンテナ部８を接続するように構成してもよいことは勿論である。
【００２９】
同軸ケーブル３は、図３に示すように、機器本体２から引き出され、高周波信号線２２の他端部がマッチングボックス４内に設けられた回路基板２６に搭載されたバラン２７の不平衡伝送モード側に接続される。同軸ケーブル３は、第１音声信号線２３が回路基板２６に形成された第１音声信号パターン２８と接続されるとともに第２音声信号線２４が第２音声信号パターン２９と接続される。同軸ケーブル３は、グランド線２５が回路基板２６に大面積で形成されたグランドパターン３０と接続される。
【００３０】
バラン２７は、ループアンテナ部８側の平衡伝送モードを同軸ケーブル３側の不平衡伝送モードに変換するとともにインピーダンスマッチングの作用を奏する。バラン２７は、具体的には線路インピーダンス２００Ωの平衡伝送モードを線路インピーダンス７５Ωの不平衡伝送モードにインピーダンス変換を行う。なお、バラン２７は、グランド端子が回路基板２６のグランドパターン３０と接続される。
【００３１】
回路基板２６には、バラン２７の平衡伝送モード側端子が接続される第１端子ランド３１及び第２端子ランド３２と、これら第１端子ランド３１と第２端子ランド３２に対してそれぞれ第１音声信号遮断素子３３及び第２音声信号遮断素子３４を介して接続された第３端子ランド３５及び第４端子ランド３６が形成される。回路基板２６には、第３端子ランド３５と第４端子ランド３６に対してそれぞれ第１高周波信号遮断素子３７及び第２高周波信号遮断素子３８を介してそれぞれ接続された上述した第１音声信号パターン２８と第２音声信号パターン２９とが形成される。回路基板２６には、第１端子ランド３１と第２端子ランド３２とが第７高周波信号遮断素子３９ａ及び第８高周波信号遮断素子３９ｂを介してそれぞれ接続されるとともにバラン２７のグランド端子が接続されるグランドパターン３０が形成される。
【００３２】
第１音声信号パターン２８と第２音声信号パターン２９は、それぞれ機器本体２側から同軸ケーブル３を介して供給される音声信号を伝送する第１音声信号伝送線路４０及び第２音声信号伝送線路４１を構成する。第１端子ランド３１と第２端子ランド３２は、上述したように第７高周波信号遮断素子３９ａ及び第８高周波信号遮断素子３９ｂを介してグランドパターン３０とそれぞれ接続されることにより、詳細を後述するように音声信号を伝送するための第１グランド線路４２ａと第２グランド線路４２ｂを構成する。
【００３３】
ループアンテナ部８は、第１ループアンテナ線路６と第２ループアンテナ線路７とがマッチングボックス４からガイドホルダ５によって約９０°の引出し角度を保持された状態で、それぞれループ状に引き出される。ループアンテナ部８は、これら第１ループアンテナ線路６と第２ループアンテナ線路７の途中から第１音声信号分離ボックス９及び第２音声信号分離ボックス１０を介して、第１イヤホン線路１１と第２イヤホン線路１２とがそれぞれ分岐される。
【００３４】
第１ループアンテナ線路６は、図３及び図４に示すように、一端６ａを回路基板２６の第１端子ランド３１に接続されてマッチングボックス４から引き出され、第１音声信号分離ボックス９及び第２音声信号分離ボックス１０を介してマッチングボックス４に引き込まれ、他端６ｂを回路基板２６の第２端子ランド３２に接続される。第１ループアンテナ線路６は、両端６ａ，６ｂが回路基板２６上において第７高周波信号遮断素子３９ａ及び第８高周波信号遮断素子３９を介してそれぞれグランドパターン３０、換言すれば第１グランド線路４２ａ及び第２グランド線路４２ｂと接続される。
【００３５】
第２ループアンテナ線路７は、図３及び図４に示すように、一端７ａを回路基板２６の第３端子ランド３５に接続されてマッチングボックス４から引き出され、第１音声信号分離ボックス９及び第２音声信号分離ボックス１０を介してマッチングボックス４に引き込まれ、他端７ｂを回路基板２６の第４端子ランド３６に接続される。第２ループアンテナ線路７は、一端７ａ側において第１音声信号信号遮断素子３３と第１端子ランド３１を介してバラン２７の平衡伝送モード側の端子と接続される。また、第２ループアンテナ線路７は、一端７ａ側において第１高周波信号遮断素子３７を介して第１音声信号伝送線路４０と接続される。さらに、第２ループアンテナ線路７は、他端７ｂ側において第２高周波信号遮断素子３８を介して第２音声信号伝送線路４１と接続される。
【００３６】
第１ループアンテナ線路６及び第２ループアンテナ線路７は、詳細を後述するようにマッチングボックス４と第１音声信号分離ボックス９及び第２音声信号分離ボックス１０との間において、高周波信号の伝送線路とともに機器本体２側から供給される音声信号の伝送線路及びグランド線路を構成する。すなわち、第１ループアンテナ線路６は、マッチングボックス４と第１音声信号分離ボックス９との間において、高周波信号の伝送線路とともに左音声信号用のグランド線路を兼用する第１兼用伝送線路４３を構成する。また、第１ループアンテナ線路６は、マッチングボックス４と第２音声信号分離ボックス１０との間において、高周波信号の伝送線路とともに右音声信号用のグランド線路を兼用する第２兼用伝送線路４４を構成する。
【００３７】
また、第２ループアンテナ線路７は、マッチングボックス４と第１音声信号分離ボックス９との間において、高周波信号の伝送線路とともに左音声信号の伝送線路を兼用する第３兼用伝送線路４５を構成する。第２ループアンテナ線路７は、マッチングボックス４と第２音声信号分離ボックス１０との間において、高周波信号の伝送線路とともに右音声信号の伝送線路を兼用する第４兼用伝送線路４６を構成する。
【００３８】
上述した第１音声信号遮断素子３３及び第２音声信号遮断素子３４は、例えば太陽／村田製作所製・１０ｐＦ・サイズ１６０８のコンデンサが用いられる。第１音声信号遮断素子３３は、第１ループアンテナ線路６の第１兼用伝送線路４３と第２ループアンテナ線路７の第３兼用伝送線路４５とを、上述したように信号線路とグランド線路とに分離して第１イヤホン１３の駆動コイルが駆動されるようにする。また、第２音声信号遮断素子３４は、第１ループアンテナ線路６の第２兼用伝送線路４４と第２ループアンテナ線路７の第４兼用伝送線路４６とを、上述したように信号線路とグランド線路とに分離して第２イヤホン１４の駆動コイルが駆動されるようにする。
【００３９】
第１高周波信号遮断素子３７及び第２高周波信号遮断素子３８は、例えば村田製作所製ＢＬＭ１８ＨＤ１０２ＳＮ１・サイズ１６０８のフェライトビーズが用いられる。第１高周波信号遮断素子３７及び第２高周波信号遮断素子３８は、それぞれ２０ＫＨｚ帯域の音声信号に対してローインピーダンスモードの状態となってこの音声信号を通過させるとともに、高周波信号に対しては１ｋΩ以上のハイインピーダンスモードとなってこの高周波信号を遮断する機能を有している。
【００４０】
第１高周波信号遮断素子３７は、第１音声信号伝送線路４０に対して第２ループアンテナ線路７側からの高周波信号成分の流入をカットする。また、第２高周波信号遮断素子３８も、第２音声信号伝送線路４１に対して第２ループアンテナ線路７側からの高周波信号成分の流入をカットする。第１高周波信号遮断素子３７及び第２高周波信号遮断素子３８は、音声信号の伝送線路を介して機器本体２側への高周波ノイズをカットすることによって、安定した受信機能が奏されるように作用する。
【００４１】
第７高周波信号遮断素子３９ａ及び第８高周波信号遮断素子３９ｂも、上述した村田製作所製フェライトビーズが用いられ、高周波信号に対して１ｋΩ以上のハイインピーダンスモードとなってそれぞれ第１グランド線路４２ａ、第２グランド線路４２ｂ側への高周波信号の流入をカットすることにより、安定した受信機能が奏されるように作用する。第７高周波信号遮断素子３９ａ及び第８高周波信号遮断素子３９ｂは、それぞれ２０ＫＨｚ帯域の音声信号を第１グランド線路４２ａ又は第２グランド線路４２ｂ側へと通過させて第１イヤホン１３と第２イヤホン１４とが駆動されるようにする。
【００４２】
第１ループアンテナ線路６及び第２ループアンテナ線路７は、マッチングボックス４と第１音声信号分離ボックス９及び第２音声信号分離ボックス１０との長さがそれぞれ約３７０ｍｍとされ、上述したようにガイドホルダ５を介してマッチングボックス４から引き出される。ガイドホルダ５は、開き角度を９０°に設定して樹脂材によりＹ字状に成形した部材からなり、第１ループアンテナ線路６と第２ループアンテナ線路７の一端部６ａ，７ａを一方側から引き出すとともに、他端６ｂ，７ｂを一方側から引き出す。ガイドホルダ５は、マッチングボックス４から第１ループアンテナ線路６と第２ループアンテナ線路７とを互いに９０°の引出し角度を以って所定の長さ範囲でセパレートして引き出すことによって、これら第１ループアンテナ線路６及び第２ループアンテナ線路７が安定した受信特性を奏するようにする。
【００４３】
第１ループアンテナ線路６及び第２ループアンテナ線路７には、上述したように第１音声信号分離ボックス９を介して第１イヤホン線路１１が分岐されるとともに、第２音声信号分離ボックス１０を介して第２イヤホン線路１２が分岐される。第１イヤホン線路１１は、第２ループアンテナ線路７側から分岐された信号線部１１ａと、この信号線部１１ａに接続された第１イヤホン１３と、この第１イヤホン１３から引き出されて第１ループアンテナ線路６と接続されるグランド線部１１ｂとからなる。第２イヤホン線路１２も、第２ループアンテナ線路７側から分岐された信号線部１２ａと、この信号線部１２ａに接続された第２イヤホン１４と、この第２イヤホン１４から引き出されて第１ループアンテナ線路６と接続されるグランド線部１２ｂとからなる。
【００４４】
第１イヤホン線路１１及び第２イヤホン線路１２は、図１に示すようにループアンテナ部８をユーザＰが頸部に掛けた状態で第１イヤホン１３が左耳内に第２イヤホン１４が右耳内に装着されることから、使い勝手を考慮してそれぞれ第１音声信号分離ボックス９と第１イヤホン１３との長さ及び第２音声信号分離ボックス１０と第２イヤホン１４との長さを約１５０ｍｍとする。第１イヤホン線路１１及び第２イヤホン線路１２は、図１に示すようにそれぞれ信号線部とグランド線部とを保護チューブ等に収納して１本の線としてイヤホン１３，１４と接続される。
【００４５】
第１音声信号分離ボックス９及び第２音声信号分離ボックス１０は、第１ループアンテナ線路６と第２ループアンテナ線路７とからそれぞれ音声信号のみが分離されて第１イヤホン線路１１と第２イヤホン線路１２とに流れるようにする。また、第１音声信号分離ボックス９及び第２音声信号分離ボックス１０は、ユーザＰの左右耳内に第１イヤホン１３と第２イヤホン１４とが装着されることで、ユーザＰを媒体とした高周波ノイズが第１イヤホン線路１１と第２イヤホン線路１２を介して第１ループアンテナ線路６と第２ループアンテナ線路７へ流入しないようにしてループアンテナ部８において安定した受信特性が奏されるようにする。
【００４６】
第１音声信号分離ボックス９及び第２音声信号分離ボックス１０には、図４に示すように第１イヤホン線路１１或いは第２イヤホン線路１２に接続される第３高周波信号遮断素子４７乃至第６高周波信号遮断素子５０が備えられる。これら第３高周波信号遮断素子４７乃至第６高周波信号遮断素子５０にも、上述したマッチングボックス４に設けた村田製作所製フェライトビーズが用いられる。
【００４７】
第３高周波信号遮断素子４７は、第２ループアンテナ線路７の第３兼用伝送線路４５と第１イヤホン線路１１の信号線部１１ａとの間に接続され、第３兼用伝送線路４５側からの音声信号に対してローインピーダンスモード状態となってこの音声信号を通過させるとともに、高周波信号に対してはハイインピーダンスモード状態となってこの高周波信号を遮断する。したがって、第３高周波信号遮断素子４７は、第２ループアンテナ線路７の第３兼用伝送線路４５から音声信号を分離して第１イヤホン線路１１に供給する。また、第３高周波信号遮断素子４７は、第２ループアンテナ線路７に対する第１イヤホン線路１１側からの高周波ノイズの流入をカットする。
【００４８】
第４高周波信号遮断素子４８も、第２ループアンテナ線路７の第４兼用伝送線路４６と第２イヤホン線路１２の信号線部１２ａとの間に接続され、第４兼用伝送線路４６側からの音声信号に対してローインピーダンスモード状態となってこの音声信号を通過させるとともに、高周波信号に対してはハイインピーダンスモード状態となってこの高周波信号を遮断する。したがって、第４高周波信号遮断素子４８は、第２ループアンテナ線路７の第４兼用伝送線路４６から音声信号を分離して第２イヤホン線路１２に供給する。また、第４高周波信号遮断素子４８は、第２ループアンテナ線路７に対する第２イヤホン線路１２側からの高周波ノイズの流入をカットする。
【００４９】
第５高周波信号遮断素子４９は、第１ループアンテナ線路６と第１イヤホン線路１１のグランド線部１１ｂとの間に接続され、音声信号に対して第１兼用伝送線路４３側がローインピーダンスモード状態となりこの音声信号を通過させるとともに、高周波信号に対してはハイインピーダンスモード状態となってこの高周波信号を遮断する。したがって、第５高周波信号遮断素子４９は、第１イヤホン線路１１のグランド線部１１ｂを第１ループアンテナ線路６を介して第１グランド線路４２ａと接続して第１イヤホン線路１１を音声信号が流れるようにする。また、第５高周波信号遮断素子４９は、第１イヤホン線路１１に対する第１ループアンテナ線路６側からの高周波信号の流入をカットする。さらに、第５高周波信号遮断素子４９は、第１ループアンテナ線路６に対する第１イヤホン線路１１側からの高周波ノイズの流入をカットする。
【００５０】
第６高周波信号遮断素子５０は、第１ループアンテナ線路６と第２イヤホン線路１２のグランド線部１２ｂとの間に接続され、音声信号に対して第２兼用伝送線路４４側がローインピーダンスモード状態となりこの音声信号を通過させるとともに、高周波信号に対してはハイインピーダンスモード状態となってこの高周波信号を遮断する。したがって、第６高周波信号遮断素子５０は、第２イヤホン線路１２のグランド線部１２ｂを第１ループアンテナ線路６を介して第２グランド線路４２ｂと接続して第２イヤホン線路１２を音声信号が流れるようにする。また、第６高周波信号遮断素子５０は、第２イヤホン線路１２に対する第１ループアンテナ線路６側からの高周波信号の流入をカットする。さらに、第６高周波信号遮断素子５０は、第１ループアンテナ線路６に対する第２イヤホン線路１２側からの高周波ノイズの流入をカットする。
【００５１】
第１音声信号分離ボックス９及び第２音声信号分離ボックス１０には、図４に示すように第１ループアンテナ線路６と接続される第３音声信号遮断素子５１と第４音声信号遮断素子５２とが設けられるとともに、第２ループアンテナ線路７と接続される第５音声信号遮断素子５３と第６音声信号遮断素子５４とが設けられる。これら第３音声信号遮断素子５１乃至第６音声信号遮断素子５４は、上述したマッチングボックス４内に設けた太陽／村田製作所製コンデンサと同様の容量１０ｐＦのコンデンサが用いられる。第３音声信号遮断素子５１乃至第６音声信号遮断素子５４は、第１音声信号分離ボックス９と第２音声信号分離ボックス１０との間において、第１ループアンテナ線路６と第２ループアンテナ線路７に音声信号が伝送されないようにする。
【００５２】
第３音声信号遮断素子５１は、第１ループアンテナ線路６の第１兼用伝送線路４３を伝送される左音声信号が第２兼用伝送線路４４側へ流入されないようにカットする。第４音声信号遮断素子５２は、第１ループアンテナ線路６の第２兼用伝送線路４４を伝送される右音声信号が第１兼用伝送線路４３側へ流入されないようにカットする。第５音声信号遮断素子５３は、第２ループアンテナ線路７の第３兼用伝送線路４５を伝送される左音声信号が第４兼用伝送線路４６側へ流入されないようにカットする。第６音声信号遮断素子５４は、第２ループアンテナ線路７の第４兼用伝送線路４６を伝送される右音声信号が第３兼用伝送線路４５側へ流入されないようにカットする。
【００５３】
ところで、現在国内においては、９０ＭＨｚ〜１０８ＭＨｚ帯域と１７０ＭＨｚ〜２２２ＭＨｚ帯域のＶＨＦ放送と４７０ＭＨｚ〜７７０ＭＨｚ帯域のＵＨＦ放送とが番組提供されている。携帯型テレビ等においては、これらの周波数帯域の放送電波を良好な状態で受信することが可能な広域特性を有するアンテナを備えるが、ループアンテナとして１λ乃至１．５λ程度のアンテナ長を必要とする。携帯型テレビ等においては、例えば１００ＭＨｚ帯域の電波の波長λが約３ｍにもなることから、実長のループアンテナをそのまま用いることはできない。
【００５４】
ループアンテナ部８は、第１ループアンテナ線路６及び第２ループアンテナ線路７とが互いに異なる周波数帯域の電波に対する共振特性を有してＶＨＦ放送の各チャンネル電波とＵＨＦ放送の各チャンネル電波を受信する。ループアンテナ部８は、後述するように第２ループアンテナ線路７がインダクタンス装荷されて波長短縮化が図られることにより、第１ループアンテナ線路６とほぼ同一の長さとされ、ユーザＰが頸部に掛けるストラップ体を構成する。ループアンテナ部８は、第１ループアンテナ線路６及び第２ループアンテナ線路７が、上述したようにそれぞれの一部の領域において高周波信号とともに音声信号を伝送する兼用伝送線路を構成している。
【００５５】
ループアンテナ部８は、上述したように異なる周波数帯域の電波に対して共振特性を有する第１ループアンテナ線路６と第２ループアンテナ線路７とを備えることで広帯域化が図られている。ループアンテナ部８は、第１ループアンテナ線路６が、１λのアンテナ長を以って基本周波数２００ＭＨｚ帯域の放送電波に対して共振特性を有して構成される。ループアンテナ部８は、第１ローディングコイル５５と第２ローディングコイル５６とによってインダクタンス装荷されて波長短縮化が図られた第２ループアンテナ線路７が基本周波数１００ＭＨｚ帯域の放送電波に対して共振特性を有して構成される。
【００５６】
ループアンテナ部８は、ＵＨＦ放送帯域の放送電波を、１００ＭＨｚと２００ＭＨｚの高調波励振（３倍波、５倍波、７倍波）を利用して第１ループアンテナ線路６と第２ループアンテナ線路７とによって受信する。なお、ループアンテナ部８は、第１のループアンテナ線路１７と第２のループアンテナ線路１８とが、第１音声信号分離ボックス９と第２音声信号分離ボックス１０との間の長さを略４００ｍｍとされ、ユーザＰが頸部に掛けて使用することが可能な長さに設定されている。
【００５７】
第１ローディングコイル５５と第２ローディングコイル５６は、図４に示すようにそれぞれ第１音声信号分離ボックス９及び第２音声信号分離ボックス１０内に第２ループアンテナ線路７に接続して設けられる。第１ローディングコイル５５は、第１イヤホン線路１１の分岐点と第５音声信号遮断素子５３との間に位置して第２ループアンテナ線路７に設けられる。第２ローディングコイル５６は、第２イヤホン線路１２の分岐点と第６音声信号遮断素子５４との間に位置して第２ループアンテナ線路７に設けられる。第１ローディングコイル５５及び第２ローディングコイル５６には、それぞれ１００ＭＨｚ帯域でインダクタンス３μＨである。
【００５８】
ループアンテナ部８は、上述したように第１ループアンテナ線路６と第２ループアンテナ線路７とをガイドホルダ５を介して所定の開き角度に保持してマッチングボックス４から引き出すようにする。ループアンテナ部８は、第１音声信号分離ボックス９及び第２音声信号分離ボックス１０間においてユーザＰの頸部に掛けられることから、この部分において第１ループアンテナ線路６と第２ループアンテナ線路７とが接触しないように保持するとともにユーザＰに不快感を与えずかつ機械的保護が図られるように構成される。
【００５９】
すなわち、ループアンテナ部８は、第１ループアンテナ線路６と第２ループアンテナ線路７とを、第１音声信号分離ボックス９及び第２音声信号分離ボックス１０間において可撓性を有する絶縁樹脂材によって成形するストラップ体５７によって封装する。ストラップ体５７は、図５に示すように薄厚のベルト状に成形されてなり、第１ループアンテナ線路６と第２ループアンテナ線路７とを互いに特性向上が図られる所定の対向間隔に保持する。
【００６０】
以上のように構成された液晶テレビ１においては、ユーザＰが、ストラップ体５７を頸部に掛けるとともに第１音声信号分離ボックス９及び第２音声信号分離ボックス１０から分岐された第１イヤホン線路１１と第２イヤホン線路１２を伸ばして上述したように第１イヤホン１３と第２イヤホン１４とをそれぞれ左右の耳内に装着する。液晶テレビ１においては、図１に示すように機器本体２が同軸ケーブル３を介してストラップ体５７から吊り下げられて胸前に位置するようになる。
【００６１】
液晶テレビ１においては、ループアンテナ部８によってテレビ放送の電波を受信して、この受信電波を同軸ケーブル３を介して機器本体２へと伝送する。液晶テレビ１においては、上述したようにループアンテナ部８が２００ＭＨｚ帯域を基本波長として共振動作する第１ループアンテナ線路６と１００ＭＨｚ帯域を基本波長として共振動作する第２ループアンテナ線路７とが備えられる。したがって、液晶テレビ１においては、ＶＨＦ放送からＵＨＦ放送までの広い帯域の放送電波について、これを効率よく受信する。
【００６２】
液晶テレビ１においては、ループアンテナ部８によって受信した受信電波が、第１ループアンテナ線路６或いは第２ループアンテナ線路７からバラン２７及び同軸ケーブル３を介して機器本体２に入力され、各部において所定の信号処理が施される。液晶テレビ１においては、機器本体２の操作部１６によって電源のオン操作やチューニング操作或いはボリューム操作等が行われ、液晶モニタ１５に映像表示が行われるとともに第１イヤホン１３と第２イヤホン１４とから左右音声信号の再生出力が行われる。
【００６３】
液晶テレビ１においては、機器本体２の入出力切換回路部１７から出力された音声信号が同軸ケーブル３を介してループアンテナ部８の第１音声信号伝送線路４０及び第２音声信号伝送線路４１へとそれぞれ供給される。液晶テレビ１においては、左音声信号が、ループアンテナ部８において、第１音声信号伝送線路４０−第１高周波信号遮断素子３７−第３端子ランド３５−第２ループアンテナ線路７（第３兼用伝送線路４５）−第１音声信号分離ボックス９（第３高周波信号遮断素子４７）−第１イヤホン線路１１（信号線部１１ａ）−第１イヤホン１３−第１イヤホン線路１１（グランド線部１１ｂ）−第１音声信号分離ボックス９（第５高周波信号遮断素子４９）−第１ループアンテナ線路６（第１兼用伝送線路４３）−第１グランド線路４２ａ−第７高周波信号遮断素子３９ａ−グランドパターン３０のループにより第１イヤホン１３を駆動して出力する。
【００６４】
また、液晶テレビ１においては、右音声信号が、ループアンテナ部８において、第２音声信号伝送線路４１−第２高周波信号遮断素子３８−第４端子ランド３６−第２ループアンテナ線路７（第４兼用伝送線路４６）−第２音声信号分離ボックス１０（第４高周波信号遮断素子４８）−第２イヤホン線路１２（信号線部１２ａ）−第２イヤホン１４−第２イヤホン線路１２（グランド線部１２ｂ）−第２音声信号分離ボックス１０（第６高周波信号遮断素子５０）−第１ループアンテナ線路６（第２兼用伝送線路４４）−第２グランド線路４２ｂ−第８高周波信号遮断素子３９ｂ−グランドパターン３０のループにより第２イヤホン１４を駆動して出力する。
【００６５】
液晶テレビ１においては、上述したように異なる周波数帯域の電波に対して共振特性を有するとともに一方側にインダクタンス装荷による波長短縮化を行うことにより略同一長とした第１ループアンテナ線路６と第２ループアンテナ線路７とを備えることによって、ループアンテナ部８の広帯域特性化が図られる。液晶テレビ１においては、第１ループアンテナ線路６と第２ループアンテナ線路７とがその一部において第１イヤホン１３と第２イヤホン１４とに音声信号を伝送するための音声信号伝送線路を兼用することによって、コードの本数を低減して使い勝手の向上が図られるようにする。さらに、液晶テレビ１においては、ループアンテナ部８が首掛けようのストラップ体を兼用することで、さらに煩わしいコード処理が低減されるようになる。
【００６６】
液晶テレビ１においては、ループアンテナ部８において、第１ループアンテナ線路６や第２ループアンテナ線路７に高周波信号遮断素子や音声信号遮断素子を適宜設けることによって、高周波信号と音声信号との伝送線路の切り分けを図っている。また、液晶テレビ１においては、機器本体２とループアンテナ部８とが同軸ケーブル３を介して接続されることによって分離された構造となっている。したがって、液晶テレビ１においては、ループアンテナ部８が高周波信号ノイズの影響が低減されて安定した受信特性を奏し、高品質の出力が行われるようになる。
【００６７】
なお、上述した実施の形態として示した液晶テレビ１においては、第２ループアンテナ線路７を音声信号の供給側とするとともに第１ループアンテナ線路６をグランド側としたが、かかる構造に限定されるものでは無い。液晶テレビ１は、例えば第１ループアンテナ線路６を音声信号の供給側とし、第２ループアンテナ線路７をグランド側とするようにしてもよい。また、液晶テレビ１は、左右において、第１ループアンテナ線路６と第２ループアンテナ線路７との機能を入れ替えるようにしてもよい。
【００６８】
液晶テレビ１においては、ストラップ体５７をユーザＰの頸部に掛けて用いるようにしたが、例えばユーザＰの頭部に装着するヘッドセットとして用いるようにしてもよい。液晶テレビ１においては、この場合にストラップ体５７の長さや各イヤホン線路１１，１２の長さが適宜設定される。
【００６９】
なお、上述した実施の形態は、液晶テレビ１を示したが、例えばテレビチューナ機能を備えた携帯型情報端末機（ＰＤＡ）等にも展開可能であることは勿論である。ループアンテナ部８は、２００ＭＨｚ帯域を基本波長として共振動作する第１ループアンテナ線路６と１００ＭＨｚ帯域を基本波長として共振動作する第２ループアンテナ線路７とを備えるようにしたが、目的に応じた周波数帯域の電波に対して共振動作する一対のループアンテナ線路を用いるようにし、これによって各素子の仕様特性も適宜選択される。
【図面の簡単な説明】
【００７０】
【図１】本発明の実施の形態として示す液晶テレビの使用状態の説明図である。
【図２】液晶テレビの構成ブロック図である。
【図３】ループアンテナ部の構成ブロック図である。
【図４】ループアンテナ部の回路構成図である。
【図５】ストラップ体の要部斜視図である。
【符号の説明】
【００７１】
１  液晶テレビ、２  機器本体、３  同軸ケーブル、４  マッチングボックス、５  ガイドホルダ、６  第１ループアンテナ線路、７  第２１ループアンテナ線路、８  ループアンテナ部、９  第１音声信号分離ボックス、１０  第２音声信号分離ボックス、１１  第１イヤホン線路、１２  第１イヤホン線路、１３  第１イヤホン、１４  第２イヤホン、１５  液晶モニタ、１６  操作部、１７  入出力切換回路部、１８  チューナ回路部、１９  信号処理回路部、２０  液晶駆動回路部、２１  音声信号増幅回路部、２２  高周波信号線、２３  第１音声信号線、２４  第２音声信号線、２５  グランド線、２６  回路基板、２７  バラン、２８  第１音声信号パターン、２９  第２音声信号パターン、３０  グランドパターン、３１  第１端子ランド、３２  第２端子ランド、３３  第１音声信号遮断素子、３４  第２音声信号遮断素子、３５  第３端子ランド、３６  第４端子ランド、３７  第１高周波信号遮断素子、  ３８  第２高周波信号遮断素子、３９ａ  第７高周波信号遮断素子、３９ｂ  第８高周波信号遮断素子、４０  第１音声信号伝送線路、４１  第２音声信号伝送線路、４２ａ  第１グランド線路、４２ｂ  第２グランド線路、４３  第１兼用伝送線路、４４  第２兼用伝送線路、４５  第３兼用伝送線路、４６  第４兼用伝送線路、４７  第３高周波信号遮断素子、４８  第４高周波信号遮断素子、４９  第５高周波信号遮断素子、５０  第６高周波信号遮断素子、５１  第３音声信号遮断素子、５２  第４音声信号遮断素子、５３  第５音声信号遮断素子、５４  第６音声信号遮断素子、５５  第１ローディングコイル、５６  第２ローディングコイル、５７  ストラップ体
【図１】
2005086701.tif 000003
【図２】
2005086701.tif 000004
【図３】
2005086701.tif 000005
【図４】
2005086701.tif 000006
【図５】
2005086701.tif 000007